(57)【特許請求の範囲】
【請求項１】
容器体２の口頚部３外周に嵌合させた装着筒４により容器体内に下端を垂下させた状態でシリンダ５を固定させてなる固定吸引部Ａと、該固定吸引部上端中央の開口より上方付勢状態で上下動可能に突出させたステム６上端にノズル７付き押し下げヘッド８を嵌着固定した作動部材Ｂとを備え、該作動部材の上下動により容器体内の液を吸い上げてノズルより噴出する如く構成するとともに、作動部材を押し下げた状態で固定吸引部に係止可能に構成してなる液体噴出ポンプに於いて、上記作動部材Ｂ下面に上端を係止させた上方付勢用のコイルスプリング９下端によりシリンダ５内下端に圧接固定させた弁部材10を設け、該弁部材は、上記シリンダ内下端周縁部に嵌着させたリング部11と、該リング部上面の相対向する位置より起立させた一対の支持壁部12a 上端間を水平板部12b で連結するとともに、該水平板部12b 上に横断面Ｈ型をなす異形柱状部12d を起立し、該異形柱状部12d 上に押し下げ係止状態のステム６下端開口部に密嵌閉塞可能な有底の円筒部12c を立設した柱状基部12と、上記リング部11内面より突設した周方向複数の弾性支持帯13を介して周縁部を一体に支持するとともに、シリンダ下端開口を開閉可能に閉塞して吸込み弁Ｃを形成する弁板14とを備えてなることを特徴とする液体噴出ポンプ。
【発明の詳細な説明】
【０００１】
【発明の属する技術分野】
本発明は液体噴出ポンプに関する。
【０００２】
【従来の技術】
液体噴出ポンプとして、例えば、容器体の口頚部外周に嵌合させた装着筒により下端を容器体内へ垂下させた状態でシリンダを固定させた固定吸引部と、該吸引部上端中央の開口より上方付勢状態で上下動可能に突出させたステムの上端にノズル付き押し下げヘッドを嵌着固定した作動部材とを備え、この作動部材の上下動により容器体内の液を吸い上げてノズルより噴出する如く構成するとともに、作動部材を押し下げた状態で固定吸引部に係止可能に構成してなるものが知られている。これらは上記ポンプ機能を発揮するため、一般に吸い込み弁及び吐出弁を備えている。
【０００３】
従来のこの種ポンプに於ける吸い込み弁は、シリンダ下端に設けた弁座上に玉状の弁体を載置させたものが極一般的に知られている。また、最近では、液噴出後のノズル先端からの液垂れ等を防止する目的で、吸い込み弁の玉状弁体上面を比較的弾発力の弱いコイルスプリングで圧接し、液注出後の作動部材上昇時に、即座の吸い込み弁の開放を禁じてシリンダ内の負圧化をノズル内に伝達し、その結果、ノズル内の液をシリンダ方向へ逆流させて液垂れの防止を図る如く構成したものも知られている。
【０００４】
【発明が解決しようとする課題】
上記ポンプは良好な液垂れ防止を図れるものの、その吸い込み弁は玉状弁体，コイルスプリング及び該スプリング上端を支持係止するための固定用基部等複数の部材により構成しているため、また、各部材の形状も細かく不安定なためその組み付け操作が面倒であるという不都合があった。
本発明はこの様な点を考慮して合成樹脂で一体に形成することが出来る特殊構成の弁部材を設けることにより、製造，組み付けともに容易に行える液体噴出ポンプを提案するものである。
【０００５】
【課題を解決するための手段】
本請求項１発明のポンプは上記課題を解決するため、容器体２の口頚部３外周に嵌合させた装着筒４により容器体内に下端を垂下させた状態でシリンダ５を固定させてなる固定吸引部Ａと、該固定吸引部上端中央の開口より上方付勢状態で上下動可能に突出させたステム６上端にノズル７付き押し下げヘッド８を嵌着固定した作動部材Ｂとを備え、該作動部材の上下動により容器体内の液を吸い上げてノズルより噴出する如く構成するとともに、作動部材を押し下げた状態で固定吸引部に係止可能に構成してなる液体噴出ポンプに於いて、上記作動部材Ｂ下面に上端を係止させた上方付勢用のコイルスプリング９下端によりシリンダ５内下端に圧接固定させた弁部材10を設け、該弁部材は、上記シリンダ内下端周縁部に嵌着させたリング部11と、該リング部上面の相対向する位置より起立させた一対の支持壁部12a 上端間を水平板部12b で連結するとともに、該水平板部12b 上に横断面Ｈ型をなす異形柱状部12d を起立し、該異形柱状部12d 上に押し下げ係止状態のステム６下端開口部に密嵌閉塞可能な有底の円筒部12c を立設した柱状基部12と、上記リング部11内面より突設した周方向複数の弾性支持帯13を介して周縁部を一体に支持するとともに、シリンダ下端開口を開閉可能に閉塞して吸込み弁Ｃを形成する弁板14とを備えてなることを特徴とする液体噴出ポンプとして構成した。
【０００６】
【発明の実施の形態】
以下、本発明の実施例の形態を図面を参照して説明する。
本発明の液体噴出ポンプ１は、容器体２の口頚部３外周に嵌合させた装着筒４により容器体内に下端を垂下させた状態でシリンダ５を固定させてなる固定吸引部Ａと、該吸引部上端中央の開口より上方付勢状態で上下動可能に突出させたステム６上端にノズル７付き押し下げヘッド８を嵌着固定した作動部材Ｂとを備え、該作動部材の上下動により容器体内の液を吸い上げてノズルより噴出する如く構成するとともに、作動部材を押し下げた状態で固定吸引部に係止可能に構成してなる所謂押し下げヘッド式の液体噴出ポンプを改良したものである。
【０００７】
本発明では、この種従来ポンプに於いて、図面に示す如く、作動部材Ｂ下面に上端を係止させた上方付勢用のコイルスプリング９下端によりシリンダ５内下端に圧接固定させた弁部材１０を設けている。
この弁部材１０は、上記シリンダ５内下端周縁部に嵌着させたリング部１１と、該リング部上面に液の流通が可能に一体に下端を掛け渡してシリンダ内中央を上方へ起立させるとともに、押し下げ係止状態のステム６下端開口部に上端を密嵌可能に構成した柱状基部１２と、上記リング部１１内面より突設した周方向複数の弾性支持帯１３を介して周縁部を一体に支持するとともに、シリンダ下端開口を開閉可能に閉塞して吸い込み弁Ｃを形成する弁板１４とを備えている。
【０００８】
本実施例に於いて弁部材１０は合成樹脂により一体に形成され、また、上記柱状基部１２は、円形のリング部１１上面の相対向する位置より一対の支持壁部１２ａ  を起立させるとともに、各支持壁部１２ａ  上端間を平面視四角形状をなす水平板部１２ｂ  で連結して下端部を構成し、上端部はステム６の下端開口形状に円筒部１２ｃ  に形成し、その下端部と上端部を結ぶ中間部を横断面がＨ型をなす異形柱状部１２ｄ  に構成している。そして、各支持壁部１２ａ  間両側の隙間から液の流通が可能に構成している。また、水平板部１２ｂ  上面両端部にコイルスプリング９の下端を当接させて弁部材１０を固定させている。尚、この弁部材１０の固定はリング部１１外周のシリンダ５内面への密嵌を併用しても良い。
【０００９】
また、本実施例に於ける弾性支持帯１３は、各々中心に向かった後リング部１１内面に沿って円弧状に延び、再び中心に向かって延びる異形棒状をなし、先端部をそれぞれ弁板１４外周縁に一体に連結しているが、これに限られず、リング部１１内面よりそれぞれ中心に向かって延びる波型棒状のもの等、弁板１４をシリンダ下端開口の周縁部上面に圧接可能で、液圧で上昇した弁板１４をその弾性復元力で元の状態とすることができる形態であれば良い。従って、この弁板１４によりシリンダ下端開口を開閉可能に閉塞することにより、ここに吸い込み弁Ｃを形成している。
【００１０】
以下、本実施例に於けるその他の部分を説明しておく。
上記固定吸引部Ａは上記シリンダ５と、装着筒部材１５と、リングキャップ１６とを備えている。
シリンダ５は、上下端を開口した筒状で、外周上部よりフランジを突設し、下端部は縮径してパイプ嵌合用の嵌合筒部に構成し、該筒部内に上端を嵌着させたパイプ１７を容器体内下端部に垂下させる。また、筒壁上部には外気を導入するための吸気孔１８を穿設している。
【００１１】
装着筒部材１５は、装着筒４上端より内方へ取り付け用のフランジを突設して構成し、該フランジをシリンダ５の上記フランジの上面に回動可能に嵌合させ、また、シリンダ上端に嵌着させたリングキャップ１６により抜け出しの防止を図り、シリンダに対して回動可能に設けている。そして、シリンダ５の下端を容器体内に挿入垂下させるとともに、シリンダ５のフランジ下面をパッキンを介して容器体口頚部上面に当接させて装着筒部材１５のフランジにより圧接係止させている。リングキャップ１６は、シリンダ５の筒壁上端外周に凹凸係合手段を介して下部を抜け出し不能に嵌合させた嵌合筒１９をリング状の頂板裏面より垂設するとともに、頂板内周縁より、ステム６を貫通させるための案内筒２０を垂設し、該案内筒外面をシリンダ上部内面に回動不能に密嵌させている。
【００１２】
また、上記作動部材Ｂは、上記ステム６と、上記ノズル７付き押し下げヘッド８とを備えている。
ステム６は、シリンダ内と連通してその中の液をその上方の押し下げヘッド８に導入させるための導管で、上下端を開口した有底筒状をなし、その下端部にコイルスプリング９を介在させて常時上方へ付勢させ、その上端を上記案内筒２０上方に上下動可能に突出させている。また、下端外周には外周縁をシリンダ５内面に摺動可能に嵌合させた環状ピストン２１を設けている。更に、内部上方には吐出弁Ｄを設けている。
【００１３】
押し下げヘッド８は、ステムの上端に嵌着した縦筒２３を頂壁２４裏面中央部より垂設するとともに、頂壁２４周縁部より垂下壁２５を垂設し、且つ縦筒２３上部に基端を開口したノズル７を前方へ噴出可能に突出させて構成している。
また、上記垂下壁２５内面下部に螺条を周設するとともに、リングキャップ１６の上記嵌合筒１９外面に螺条を周設し、両者を螺合させることにより押し下げヘッドの押し下げ状態で固定吸引部Ａに係止可能に構成している。
【００１４】
また、本実施例では上記作動部材Ｂが最下降の係止状態に移行する際に作動部材Ｂにより押し下げられて吸気孔１８の閉塞状態に移行するとともに、作動部材Ｂが最上昇状態に移行する際に作動部材により押し上げられて吸気孔１８開放状態に移行し、且つ、作動部材Ｂが液噴出の為の上下作動時には吸気孔１８開放状態を維持する閉塞筒部材２６を、ステム６外方の固定吸引部Ａ上端開口縁部に上下摺動可能に嵌合させている。この閉塞筒部材２６を設けることにより、作動部材Ｂの押し下げ係止状態ではシリンダ５の吸気孔１８が閉塞されて容器体２内からシリンダ内への不都合な液の漏出を防止し、また、使用時の作動部材Ｂ最上昇状態及び液を噴出させるため作動部材を上下動させる際には吸気孔１８を開放し、ステム６と閉塞筒部材２６との隙間から吸気孔１８を介して負圧化した容器体内へ外気を導入する如く構成している。
【００１５】
本実施例では、この閉塞筒部材２６を、シリンダ５上部に摺動可能に嵌合させて吸気孔１８を開閉可能に閉塞する摺動閉塞部２７と、該閉塞部を下端外周より周突設するとともに、上記リングキャップ１６の案内筒２０内面に上下摺動可能に嵌合させた基筒部２８とから構成している。また、円筒状の基筒部２８外面下半部に周方向複数の縦突条２９を突設し、また、リングキャップ１６の案内筒２０上下方向中央部所定位置に下向きの係止段部３０を形成してその下方を大径に構成し、基筒部２８外面が係止段部３０上方の小径部分内面に摺動するとともに、上記各縦突条２９が係止段部３０下面に係止されてそれ以上上昇しない様に構成している。
【００１６】
また、閉塞筒部材２６を上下動させる機構として、図示例では、ステム６の外面下部所定位置に上向き段部３１を形成して閉塞筒部材２６の基筒部２８下面を押し上げ可能に構成し、また、押し下げヘッド８の縦筒２３上部所定位置に下向き段部３２を形成して閉塞筒部材２６の基筒部２８上面を押し下げ可能に構成している。
この様な閉塞筒部材２６を設けることにより、不使用時に作動部材を押し下げた状態でコンパクトに係止させておく場合に、誤って容器を倒す等があっても、容器体内からシリンダ内への液の漏出が無く、その結果、使用時に固定吸引部の上端開口から液が漏出するのを防止する。また、ステムとリングキャップの隙間をうめて浴室等での使用の際、シャワー等の水がそこから浸入するのを防止することができる。
【００１７】
上記の如く構成したポンプ１の使用法の一例に付いて説明すると、保管，運搬等の不使用時には、図２に示す如き作動部材Ｂを螺着した状態にしておく。この際、弁部材１０の柱状基部１２上端がステム６の下端開口部に密嵌して閉塞しているため、容器を誤って倒す等の不都合があっても、シリンダ内の液が漏出することを防止できる。また、閉塞筒部材２６の摺動閉塞部２７が吸気孔１８を閉塞している。使用の際は、押し下げヘッド８を回動させて螺着を外して上昇させる。この際、摺動閉塞部２７による吸気孔１８の閉塞が解除される。次いで押し下げヘッドを何回か上下動させて初期作動を行い、シリンダ内に容器体内の液を導入して準備を整える。次いで押し下げヘッドを押し下げると、シリンダ内の加圧液が吐出弁Ｄを開いてステム６を通りノズル７より噴出する。
【００１８】
次いでヘッドの押圧を解除するとコイルスプリング９の作用で作動部材Ｂが上昇し、シリンダ内が負圧化するため吐出弁Ｄが閉じ、容器体内の液が吸い込み弁Ｃを開いて導入される。この際、吸い込み弁Ｃは弾性支持帯１３の作用でその開弁が遅くなり、例えば吐出弁Ｄが確実に閉じるまで開かず、その結果ノズル７内の液がシリンダ内に逆流してノズル先端からの液垂れを防止する。
尚、上記各部材は主として合成樹脂により形成され、必要に応じて金属或いは柔軟性のあるエラストマー等を併用することも可能である。
【００１９】
【発明の効果】
以上説明した如く本発明ポンプは、既述構成としたことにより、特に、シリンダ内下端周縁部に嵌着させたリング部１１と、該リング部上面に液の流通が可能に下端を一体に掛け渡してシリンダ内中央を上方へ起立させるとともに、押し下げ係止状態のステム６下端開口部に上端を密嵌閉塞可能に構成した柱状基部１２と、リング部１１内面より突設した周方向複数の弾性支持帯１３を介して周縁部を一体に支持するとともに、シリンダ下端開口を開閉可能に閉塞して吸い込み弁Ｃを形成する弁板１４とを備えてなる弁部材１０を、作動部材Ｂ下面に上端を係止させた上方付勢用のコイルスプリング９下端によりシリンダ５内下端に圧接固定させたので、ノズル先端からの液垂れを極力防止できるとともに、弁部材１０の組み付け操作が極めて簡単に行えるという効果を発揮できるものである。
【００２０】
また、不使用時のヘッド押し下げ係止時には弁部材によりステム下端が閉塞され、たとえ容器が倒れてもシリンダ内からの液の漏出防止することができる。
【図面の簡単な説明】
【図１】本発明ポンプの一実施例を示す縦断面図である。
【図２】同実施例の作動部材押し下げ係止状態の縦断面図である。
【図３】同実施例の弁部材の縦断面図である。
【図４】図３の弁部材の９０°回動状態の縦断面図である。
【図５】図３のＸ−Ｘ線に沿う横断面図である。
【図６】図４のＹ−Ｙ線部分の横断面図である。
【図７】同実施例の弁部材の平面図である。
【符号の説明】
２…容器体，３…口頚部，４…装着筒，５…シリンダ，６…ステム，
７…ノズル，８…押し下げヘッド，９…コイルスプリング，１０…弁部材，
１１…リング部，１２…柱状基部，１３…弾性支持帯，１４…弁板，
Ａ…固定吸引部，Ｂ…作動部材，Ｃ…吸い込み弁
【図１】
0003618933.tif 000002
【図２】
0003618933.tif 000003
【図３】
0003618933.tif 000004
【図４】
0003618933.tif 000005
【図５】
0003618933.tif 000006
【図６】
0003618933.tif 000007
【図７】
0003618933.tif 000008